(57)【要約】      （修正有）【課題】肩を挟んで揉みほぐすようなマッサージができるマッサージ装置を提供する。【解決手段】マッサージ装置は機体フレーム１を有し、機体フレーム上には、モーターと第一マッサージ部材３を設置し、それらの間は伝動装置で連動され、伝動装置は伝動ロッド、エキセントリックカム５２、位置限定ブロック５３を有し、伝動ロッドは機体フレーム上に設置される。エキセントリックカムは伝動ロッド上に嵌めて固定される。エキセントリックカム上には螺旋槽を設置し、第一マッサージ部材上に螺旋槽に沿ってスライド移動する第一取付台を設置し、第一取付台側壁上には連接柱を設置し、位置限定ブロックは機体フレーム上に固定され、連接柱を、その内部で直線スライド移動させるスライド槽を設置する。連接柱のスライド移動方向と伝動ロッドの中心軸線とは平行で、伝動ロッドとモーターの間は伝動ギアセットで伝動する。機体フレーム上には第二マッサージ部材４１を設置し、第二マッサージ部材は伝動ロッドと連動する。【選択図】図１
0003214394.tif 000002
【実用新案登録請求の範囲】
【請求項１】
マッサージ装置であって、機体フレームを有し、
前記機体フレーム上には、モーターと第一マッサージ部材を設置し、前記モーターと第一マッサージ部材の間は、伝動装置を通して連動され、
前記伝動装置は、伝動ロッド、エキセントリックカム、位置限定ブロックを有し、前記伝動ロッドは、機体フレーム上に設置され、前記エキセントリックカムは、伝動ロッド上に固定するように嵌めて設置され、前記エキセントリックカム上には、螺旋槽を設置し、前記第一マッサージ部材上には、螺旋槽に沿ってスライド移動する第一取付台を設置し、前記第一取付台側壁上には、連接柱を設置し、前記位置限定ブロックは、機体フレーム上に固定され、連接柱を、その内部で直線スライド移動させるスライド槽を設置し、前記伝動ロッドとモーターの間は、伝動ギアセットを通して伝動するように連接され、機体フレーム上には、第二マッサージ部材をさらに設置し、前記第二マッサージ部材と伝動ロッドの間は、連動して対応する
ことを特徴とする
マッサージ装置。
【請求項２】
前記第二マッサージ部材は、第二マッサージヘッド、第二取付台、エキセントリックホィールとユニバーサルロッドを有し、
前記第二マッサージヘッドは、機体フレーム上にヒンジ接続し、第二マッサージヘッド一端端部は、第二マッサージ部で、もう一端端部とユニバーサルロッドの一端とは固定され、ユニバーサルロッドのもう一端には、球頭を設置し、エキセントリックホィールは、伝動ロッド上に嵌めて取り付け、第二取付台は、エキセントリックホィール上に嵌めて取り付け、球頭と相互に対応する球形凹槽を設置する
ことを特徴とする
請求項１に記載のマッサージ装置。
【請求項３】
前記第一取付台は、上台と下台を有し、
前記上台とマッサージ部材とは、固定するように連接され、前記下台は、エキセントリックカム上に嵌めて設置される
ことを特徴とする
請求項１或いは２に記載のマッサージ装置。
【請求項４】
前記第二マッサージ部材は、第二マッサージヘッドの運動を案内する連ロッドをさらに有し、前記連ロッド一端と第二マッサージヘッドとはピン連接し、もう一端と機体フレームとは、ヒンジ接続して固定され、
前記機体フレームは、連ロッドの両側に、前記連ロッドに対して挟持を形成する位置限定台をさらに設置する
ことを特徴とする
請求項１或いは２に記載のマッサージ装置。
【請求項５】
前記第一マッサージ部材と第二マッサージ部材は２組設置し、それぞれモーターの両側に設置する
ことを特徴とする
請求項４に記載のマッサージ装置。
【請求項６】
前記伝動ギアセットは、ウォームギア、ワーム、第一伝動ギア、第二伝動ギアを有し、
前記ワームは、モーターのアウトプット軸上に設置され、前記ウォームギアとワームと噛み合い、
前記第一伝動ギアとウォームギアとは、機体フレーム上に同軸で設置され、相互に固定され、
前記第二伝動ギアは、伝動ロッド上に固定するように嵌めて設置され、第一伝動ギアと噛み合う
ことを特徴とする
請求項１或いは２或いは５に記載のマッサージ装置。
【考案の詳細な説明】
【技術分野】
【０００１】
本考案はマッサージ装置に関する。
【背景技術】
【０００２】
生活水準の向上に従い、仕事や学習の後に身体の局部にマッサージを受けるなど、生活の快適性を高める製品への投資が増えている。
マッサージ院へ行きマッサージを受ける人もいるが、マッサージ院でマッサージを受ける回数が多くなると、行き帰りの時間と消費金額も多くなってしまい、次第に足が遠のく原因となっている。
そのため、市場には多くのマッサージ製品があり、それらは肩や背中に対するマッサージ装置が多い。
これにより、使用者は自宅で或いはオフィスでマッサージが受けられ、携帯することもできるため非常に便利である。
しかも、使用者がマッサージ製品を買えば、十数年も使い続けることができ、非常に経済的である。
【０００３】
マッサージ装置は、機体フレーム、マッサージヘッド、マッサージヘッドを駆動し運動を行わせる駆動装置を有する。
マッサージヘッドは運動することで、使用者の身体の部位に対するマッサージを実現する。
しかし、単一機能のマッサージ装置では、すでに消費者のニーズに応えられなくなっている。
使用者はマッサージ方法において、より快適で、人が行うマッサージにより近い感覚を実現でき、よりリラックスできるマッサージ製品を求めており、「肩を挟んで揉むような」マッサージ感を達成できる製品の実現が待たれている。
【考案の概要】
【考案が解決しようとする課題】
【０００４】
前記先行技術には、マッサージ装置が単一機能であるため、消費者のニーズに応えられなくなっているという欠点がある。
【課題を解決するための手段】
【０００５】
本考案は肩を掴んで揉むようなマッサージができるマッサージ装置に関する。
【０００６】
本考案によるマッサージ装置は、機体フレームを有し、該機体フレーム上には、モーターと第一マッサージ部材を設置し、モーターと第一マッサージ部材の間は、伝動装置を通して連動される。
該伝動装置は、伝動ロッド、エキセントリックカム、位置限定ブロックを有し、該伝動ロッドは、機体フレーム上に設置される。
該エキセントリックカムは、伝動ロッド上に固定するように嵌めて設置され、エキセントリックカム上には、螺旋槽を設置し、第一マッサージ部材上には、螺旋槽に沿ってスライド移動する第一取付台を設置し、第一取付台側壁上には、連接柱を設置し、位置限定ブロックは、機体フレーム上に固定され、連接柱を、その内部で直線スライド移動させるスライド槽を設置する。
該伝動ロッドとモーターの間は、伝動ギアセットを通して伝動するように連接される。
該機体フレーム上には、第二マッサージ部材をさらに設置し、該第二マッサージ部材と伝動ロッドの間は、連動して対応する。
【０００７】
さらに、第二マッサージ部材は、第二マッサージヘッド、第二取付台、エキセントリックホィールとユニバーサルロッドを有する。
該第二マッサージヘッドは、機体フレーム上にヒンジ接続し、第二マッサージヘッド一端端部は、第二マッサージ部で、もう一端端部とユニバーサルロッドの一端とは固定され、ユニバーサルロッドのもう一端には、球頭を設置する。
該エキセントリックホィールは、伝動ロッド上に嵌めて取り付け、第二取付台は、エキセントリックホィール上に嵌めて取り付け、球頭と相互に対応する球形凹槽を設置する。
【０００８】
上述の構造を採用するマッサージ装置において、モーターは伝動ロッドの転動を駆動し、エキセントリックカムは、伝動ロッド上に固定するように嵌めて設置されるため、エキセントリックカムは伝動ロッドを軸として転動する。
また、エキセントリックカム上には、螺旋槽を設置し、第一マッサージ部材上には、螺旋槽に沿ってスライド移動する第一取付台を設置し、第一取付台は、エキセントリックカムの転動過程において、エキセントリックカムに従い同時に転動する趨勢を有するが、第一取付台側壁上の連接柱は、位置限定ブロックのスライド槽内に設置され、しかも位置限定ブロックは、機体フレーム上に固定されるため、位置限定ブロックの設置により、第一取付台の伝動ロッドを軸とした転動を限制了する。
こうして、エキセントリックは凸ブロックの転動スイング動を生じ、同時に連接柱は、位置限定ブロックのスライド槽内において、スライド移動する。
伝動ロッドは転動し、エキセントリックホィールの転動を連動する。
第二取付台は、エキセントリックホィール上に嵌めて取り付け、第二取付台も、エキセントリックホィールに従い、伝動ロッドを回転軸として回転する趨勢を有するが、第二取付台上の球形凹槽とユニバーサルロッド上の球頭とは対応し、しかもユニバーサルロッドと第二マッサージヘッドとは固定するため、第二取付台は転動できず、エキセントリックホィールの転動に基づきスイング動を行う。
また、第二マッサージヘッドと機体フレームとはヒンジ接続するため、第二取付台がスイング動すると、第二マッサージヘッドの運動を連動する。
第一マッサージ部材のスイング動と第二マッサージ部材の対応は、肩を掴んで揉むようなマッサージを共同実現し、使用者の快適感を向上させられる。
【０００９】
本考案のさらなる改善は、第一取付台は、上台と下台を有する。
該上台と該第一マッサージ部材とは固定して連接し、該下台は、エキセントリックカム上に嵌めて設置される。
【００１０】
上述の構造を採用した第一取付台において、上台と第一マッサージ部材は上方に設置され、該下台がエキセントリックカムに従い転動しスイング動する時、該上台と該第一マッサージ部材とのスイング動の範囲は大きくなり、マッサージ効果もさらに良くなる。
【００１１】
本考案のさらなる改善は、第二マッサージ部材は、第二マッサージヘッドの運動を案内する連ロッドをさらに有し、該連ロッド一端と第二マッサージヘッドとはピン連接し、もう一端と機体フレームとは、ヒンジ接続して固定される。
該機体フレームは、連ロッドの両側に、該連ロッドに対して挟持を形成する位置限定台をさらに設置する。
【００１２】
上述の構造を採用した第二マッサージ部材において、該第二マッサージヘッドが運動すると、連ロッドは定向作用を生じ、位置限定台は挟持作用を生じ、運動過程において、該連ロッドが偏向し傾斜することを防止する。
【００１３】
本考案のさらなる改善は、第一マッサージ部材と第二マッサージ部材は２組設置し、それぞれモーター両側に設置する。
【００１４】
上述の構造を採用した第一マッサージ部材は、使用者の両肩をマッサージでき、使用者の快適性を向上させられる。
【００１５】
本考案のさらなる改善は、伝動ギアセットは、ウォームギア、ワーム、第一伝動ギア、第二伝動ギアを有し、ワームは、モーターのアウトプット軸上に設置され、ウォームギアとワームとは、噛み合う。
第一伝動ギアとウォームギアとは、機体フレーム上に同軸で設置され、相互に固定される。
第二伝動ギアは、伝動ロッド上に固定するように嵌めて設置され、第一伝動ギアと噛み合う。
【００１６】
上述の構造を採用した伝動ギアセットは、伝動パーツが少なく、伝動方法が簡単で、しかも取付が便利で、パーツ間対応の誤差発生率が低いという効果を備える。
【図面の簡単な説明】
【００１７】
【図１】本考案実施形態の構造模式図である。
【図２】本考案実施形態の俯視図である。
【図３】本考案実施形態による伝動ロッド５１の構造模式図である。
【図４】本考案実施形態の別種の構造模式図である。
【図５】図４中Ａ部分の拡大図である。
【図６】本考案実施形態による第二取付台の構造模式図である。
【図７】本考案実施形態による第二伝動ギアとエキセントリックホィールの構造模式図である。
【図８】本考案実施形態によるエキセントリックカムの分解模式図である。
【考案を実施するための形態】
【００１８】
（一実施形態）
図１〜図８に示すマッサージ装置は、機体フレーム１、モーター２を有する。
機体フレーム１上には、モーター２と第一マッサージ部材３を設置し、第一マッサージ部材３は２組設置し、それぞれモーター２の両側に設置する。
第一マッサージ部材３上には、２個の第一マッサージヘッド３１を設置し、２個の第一マッサージヘッド３１は、前後に設置し、これにより第一マッサージヘッド３１は、マッサージ部位に対して挟持の効果を生じる。
【００１９】
モーター２と第一マッサージ部材３の間は、伝動装置を通して連動され、伝動装置は、伝動ロッド５１、エキセントリックカム５２、位置限定ブロック５３を有し、伝動ロッド５１は、機体フレーム１上に設置される。
本実施形態において、伝動ロッド５１は、転動するように、機体フレーム１上に設置され、機体フレーム１と垂直に設置される。
エキセントリックカム５２は、伝動ロッド５１上に固定するように嵌めて設置される。
本実施形態において、エキセントリックカム５２は、エキセントリックカム台５２１とエキセントリックカム上蓋５２２を有する。
エキセントリックカム台５２１上には、螺旋槽５２１１を設置し、第一マッサージ部材３上には、第一取付台３２を設置する。
第一取付台３２は、上台３２１と下台３２２を有する。
上台３２１と第一マッサージ部材３は、固定して連接され、伝動ロッド５１上方に位置する。
下台３２２は、エキセントリックカム台５２１の螺旋槽５２１１上に嵌めて設置され、螺旋槽５２１１に沿ってスライド移動する。
この時、エキセントリックカム上蓋５２２は、第一取付台３２の下台３２２に対して、固定作用を生じ、スイング動過程における下台３２２の脱落を防止する。
下台３２２側壁上には、連接柱３２２１を設置し、位置限定ブロック５３は、機体フレーム１上に固定され、連接柱３２２１を、その内部で直線スライド移動させるスライド槽５３１を設置する。
本実施形態において、連接柱３２２１のスライド移動方向と伝動ロッド５１の中心軸線とは平行だが、エキセントリックカム５２の設置が異なるため、連接柱３２２１のスライド移動方向も、伝動ロッド５１の中心軸線とは平行でない可能性がある。
伝動ロッド５１とモーター２の間は、伝動ギアセットを通して伝動するように連接される。
【００２０】
伝動ギアセットは、ウォームギア６１、ワーム６２、第一伝動ギア６３、第二伝動ギア６４を有する。
ワーム６２は、モーター２のアウトプット軸上に設置され、ウォームギア６１とワーム６２とは、噛み合う。
第一伝動ギア６３とウォームギア６１とは、機体フレーム１上に同軸で設置され、相互に固定される。
第二伝動ギア６４は、伝動ロッド５１上に固定するように嵌めて設置され、第一伝動ギア６３と噛み合う。
本実施形態において、第二伝動ギア６４と伝動ロッド５１とは、ボルトにより固定され、第二伝動ギア６４は、伝動ロッド５１を連動し転動させる。
【００２１】
機体フレーム１上には、第二マッサージ部材をさらに設置し、第二マッサージ部材と伝動ロッド５１の間は、連動して対応する。
第二マッサージ部材は、第二マッサージヘッド４１、第二取付台４２、エキセントリックホィール４３、ユニバーサルロッド４４、連ロッド４５を有する
連ロッド４５上端と第二マッサージヘッド４１中央部ピン連接し、連ロッド４５下端と機体フレーム１とはヒンジ接続する。
第二マッサージヘッド４１一端端部は、第二マッサージ部４１１で、もう一端端部とユニバーサルロッド４４の一端とは固定され、ユニバーサルロッド４４のもう一端には、球頭４４１を設置する。
エキセントリックホィール４３は、伝動ロッド５１上に嵌めて取り付け、第二取付台４２は、エキセントリックホィール４３上に嵌めて取り付け、球頭４４１と相互に対応する球形凹槽４２１を設置する。
【００２２】
本実施形態において、エキセントリックホィール４３と第二伝動ギア６４とは、一体に設置するため、第一伝動ギア６３が第二伝動ギア６４を連動し転動すると、同時にエキセントリックホィール４３の回転を連動する。
この時、エキセントリックホィール４３外側に嵌めて設置される第二取付台４２は、連ロッド４５と連接するため、
エキセントリックホィール４３に従い、伝動ロッド５１を回転軸として転動の趨勢を有するが、転動せず、スイング動を行う。
続いて、第二取付台４２は、球形凹槽４２１内に嵌めて設置される球頭４４１を連動し、こうして第二マッサージヘッド４１を連動する。
第二マッサージヘッド４１は、ハウジング上にヒンジ接続する一端により転動する。
機体フレーム１は、連ロッド４５の両側に、連ロッド４５に対して挟持を形成する位置限定台４５１をさらに設置し、連ロッドの転動過程において、連ロッド４５の運動軌跡は、位置限定台４５１中央に位置する。
【００２３】
本マッサージ装置の使用過程において、モーター２は、モーター２アウトプット軸上に設置されるワーム６２の転動を駆動し、ワーム６２と噛み合うウォームギア６１を連動する。
第一伝動ギア６３とウォームギア６１とは、機体フレーム１上に同軸で設置され、相互に固定され、しかも第二伝動ギア６４と第一伝動ギア６３とは、噛み合うため、ウォームギア６１は、第二伝動ギア６３の転動を連動し、また第二伝動ギア６４と伝動ロッド５１とは固定して連接されるため、伝動ロッド５１は転動される。
【００２４】
エキセントリックカム台５２１は、伝動ロッド５１上に固定するように嵌めて設置されるため、エキセントリックカム台５２１は、伝動ロッド５１を回転軸として転動する。
また、エキセントリックカム台５２１上には、螺旋槽５２１１を設置するため、第一取付台３２の下台３２２は、螺旋槽５２１１に沿ってスライド移動する。
第一取付台３２の下台３２２は、エキセントリックカム台５２１の転動過程においても、エキセントリックカム台５２１に従い、同時に転動する趨勢を有するが、下台３２２側壁上の連接柱３２２１は、位置限定ブロック５３のスライド槽５３１内に設置され、しかも位置限定ブロック５３は、機体フレーム１上に固定されるため、位置限定ブロック５３の設置により、下台３２２の、伝動ロッド５１を回転軸とした転動を制限する。
こうして、エキセントリック凸ブロック台５２１の転動によりスイング動を生じ、同時に連接柱３２２１は、位置限定ブロック５３のスライド槽５３１内において、スライド移動し、第一マッサージヘッド３１の転動を実現する。
【００２５】
同時に伝動ロッド５１は転動し、エキセントリックホィール４３の転動を連動する。
第二取付台４２は、エキセントリックホィール４３上に嵌めて取り付け、第二取付台４２もエキセントリックホィール４３に従い、伝動ロッド５１を回転軸として回転する趨勢を有するが、第二取付台４２上の球形凹槽４２１とユニバーサルロッド４４上の球頭４４１とは対応し、しかもユニバーサルロッド４４と第二マッサージヘッド４１とは固定されるため、第二取付台４２は転動できず、エキセントリックホィール４３の転動に従い、スイング動ができるだけである。
また、第二マッサージヘッド４１と機体フレーム１とはヒンジ接続するため、第二取付台４２のスイング動時、第二マッサージヘッド４１を連動し、第一マッサージ部材３に向かい接近と遠離の運動を行い、第一マッサージヘッド３１と第二マッサージヘッド４１の対応により、肩を揉みほぐすマッサージの効果を実現する。
第二マッサージヘッド４１の運動時、連ロッド４５と機体フレーム１とはヒンジ接続するため、連ロッド４５は転動し、しかもガイド作用を生じ、位置限定元台４５１は挟持作用を生じ、運動過程において、連ロッド４５が偏向し傾斜することを防止する。
【００２６】
前述した本考案の実施形態は本考案を限定するものではなく、よって、本考案により保護される範囲は後述される実用新案登録請求の範囲を基準とする。
【符号の説明】
【００２７】
１  機体フレーム、
２  モーター、
３  第一マッサージ部材、
３１  第一マッサージヘッド、
３２  第一取付台、
３２１  上台、
３２２  下台、
３２２１  連接柱、
４１  第二マッサージヘッド、
４１１  第二マッサージ部、
４２  第二取付台、
４２１  球形凹槽、
４３  エキセントリックホィール、
４４  ユニバーサルロッド、
４４１  球頭、
４５  連ロッド、
４５１  位置限定台、
５１  伝動ロッド、
５２  エキセントリックカム、
５２１  エキセントリックカム台、
５２１１  螺旋槽、
５２２  エキセントリックカム上蓋、
５３  位置限定ブロック、
５３１  スライド槽、
６１  ウォームギア、
６２  ワーム、
６３  第一伝動ギア、
６４  第二伝動ギア。
【図１】
0003214394.tif 000003
【図２】
0003214394.tif 000004
【図３】
0003214394.tif 000005
【図４】
0003214394.tif 000006
【図５】
0003214394.tif 000007
【図６】
0003214394.tif 000008
【図７】
0003214394.tif 000009
【図８】
0003214394.tif 000010